(57)【要約】【課題】  胴内排紙タイプのマルチファンクションプリンタにおいて、プリンタ部において発生した振動が、原稿読取部に伝達してしまう。また、ユーザにより、胴内排紙部にアクセスするためにプリンタ部に支持されていない原稿読取部の一隅に荷重をかけられた場合、における原稿読取手段の変形を防止することを目的とする。【解決手段】  原稿の画像を読み取る原稿読取手段と、該原稿読取手段の下方に空間を隔てて配設された画像形成部と、上記空間に設けられた排紙収納部と、を画像形成装置は有する。画像形成装置はさらに、原稿読取手段と画像形成部との間に上記空間を形成するための支持手段を備え、該支持手段は上記画像形成部の上部に固設され、上記原稿読取手段を包囲するように形成されている。そして、支持手段の原稿読取手段の載置面に振動吸収部材を設けた。【選択図】  図３
2009069176.tif 000002
【特許請求の範囲】
【請求項１】
原稿の画像を読み取る原稿読取手段と、
該原稿読取手段の下方に空間を隔てて配設された画像形成部と、
前記空間に設けられた排紙収納部と、
前記原稿読取手段と上記画像形成部との間に前記空間を形成するように前記原稿読取手段を支持する支持手段と、を備え、
前記支持手段は上記画像形成部の上部に固設され、前記原稿読取手段を包囲するように形成され、
前記原稿読取手段は前記支持手段に設けられた設置面に載置され、該設置面が振動吸収部材で構成されていることを特徴とする画像形成装置。
【請求項２】
前記原稿読取手段の設置面は３箇所で構成されることを特徴とする請求項１に記載の画像形成装置。
【請求項３】
前記原稿読取手段の重心は、前記３箇所の設置面で構成される平面の面内にあることを特徴とする請求項１または２に記載の画像形成装置。
【請求項４】
前記原稿読取手段の４隅のうち、前記設置面が構成される３箇所以外の１隅に緩衝部材を設けたことを特徴とする請求項１乃至３のいずれかに記載の画像形成装置。
【請求項５】
前記原稿読取手段の浮き上がり防止のために、前記支持手段に前記原稿読取手段の浮き上がり規制部材を取り付ける構成としたことを特徴とする請求項１乃至４のいずれかに記載の画像形成装置。
【請求項６】
原稿の画像を読み取る原稿読取手段と、
該原稿読取手段に原稿を自動給送する自動原稿給送手段と、
前記原稿読取手段の下方に空間を隔てて配設された画像形成部と、
前記空間に設けられた排紙収納部と、
前記原稿読取手段と前記画像形成部との間に前記空間を形成するための支持手段と、を備え、
該支持手段は前記画像形成部の上部に固設され、前記原稿読取手段を包囲するように形成されて、
前記原稿読取手段は前記支持手段に設けられた設置面に載置され、該設置面が振動吸収部材で構成されていることを特徴とする画像形成装置。
【請求項７】
前記自動原稿給送手段は、前記原稿読取手段に対し、該原稿読取手段に固設されたヒンジ手段を介して開閉可能に支持されることを特徴とする請求項６に記載の画像形成装置。
【請求項８】
原稿の画像を読み取る原稿読取手段と、
前記原稿読取手段の下方に配設された画像形成部と、
前記画像形成部に固設された、前記原稿読取手段を支持する支持手段と、
前記原稿読取手段と前記支持手段との間に設けられた振動吸収部材と、を有することを特徴とする画像形成装置。
【発明の詳細な説明】
【技術分野】
【０００１】
本発明は、複写機、プリンタ、ファクシミリ等の画像形成装置に関し、特に胴内排紙と称して画像形成装置本体の上下方向中央部位に形成した空間に画像形成後の用紙を受ける排紙部を備えた画像形成装置に関する。
【背景技術】
【０００２】
従来の画像形成装置には、装置（プリンタ部）上面に、支持部材を介して原稿読取手段を載置したものがある（例えば、特許文献１参照。）。
【０００３】
この背景技術の例によれば、プリンタ部上面にスペーサ部材を固定し、該スペーサ部材上に原稿読取手段の支持部材を固定してある。そして、その上に、原稿読取手段を載置してネジ固定する構成となっている。
【０００４】
また、胴内排紙タイプのために、排紙アクセス部については原稿読取手段を支持することができず、３点支持構成となっている。なお、ここで、胴内排紙タイプとは、原稿読取手段とプリンタ部との間に記録済みの紙を排出するタイプの装置のことである。
【特許文献１】特開平１１−１６４０７６号公報（第４頁、図２）
【発明の開示】
【発明が解決しようとする課題】
【０００５】
しかしながら、上記従来例では、プリンタ部からその上部のスペーサ部材、原稿読取手段の支持部材、さらに原稿読取手段までをネジ等により締結している。
【０００６】
このため、プリンタ部において振動が発生すると、原稿読取手段にその振動が伝わってしまう構成となっている。
【０００７】
詳述すると、プリンタ部の印字動作にまつわり、画像形成部、定着部等の駆動モータ、ギア等の回転に起因する振動が発生する。これらの振動が原稿読取手段に伝わる。このとき原稿読取手段が原稿読取動作中であった場合には、このプリンタ部から伝わった振動が読取画像の乱れに直結するという問題があった。
【０００８】
なお、原稿読取手段は、プリンタ部に対し３点支持構成のため、ユーザが原稿読取手段のプリンタ部から支持されていない一隅に下方向荷重をかけた場合に、原稿読取手段に変形を生じ、読取画像に歪み等を生じる可能性もあった。
【０００９】
本願に係る発明の目的は、原稿読取手段の支持部材と、原稿読取手段との間に、弾性部材を配置することにより、プリンタ部において発生した振動の伝達を防止することである。また、ユーザにより原稿読取手段の左手前部に荷重をかけられた場合における原稿読取手段の変形を防止することを目的とする。
【課題を解決するための手段】
【００１０】
上記目的を達成するため、本出願に係る発明は、原稿の画像を読み取る原稿読取手段と、該原稿読取手段の下方に空間を隔てて配設された画像形成部と、前記空間に設けられた排紙収納部と、前記原稿読取手段と上記画像形成部との間に前記空間を形成するように前記原稿読取手段を支持する支持手段と、を備え、前記支持手段は上記画像形成部の上部に固設され、前記原稿読取手段を包囲するように形成され、前記原稿読取手段は前記支持手段に設けられた設置面に載置され、該設置面が振動吸収部材で構成されている。
【発明の効果】
【００１１】
以上説明したように、本発明の画像形成装置は、原稿の画像を読み取る原稿読取手段と、該原稿読取手段の下方に空間を隔てて配設された画像形成部と、上記空間に設けられた排紙収納部と、備えている。画像形成装置は、上記原稿読取手段と上記画像形成部との間に上記空間を形成するための支持手段を備え、該支持手段は上記画像形成部の上部に固設され、上記原稿読取手段を包囲するように形成されている。さらに、画像形成装置では、前記支持手段の原稿読取手段の載置部に振動吸収部材を設けた。よって、画像形成部において発生した振動が原稿読取装置に伝達を防止することができる。さらにユーザにより原稿読取手段の左手前部に荷重をかけられた場合においても原稿読取手段の変形を防止することができる。
【発明を実施するための最良の形態】
【００１２】
図１乃至図５を参照して、本願発明の実施の形態に係る画像形成装置について説明する。
【００１３】
図１は、実施の形態に係る画像形成装置の主断面図であり、図２は外観の斜視図である。また、図３はフレーム構成を示す斜視図、図４は原稿読取手段付近のフレーム構成を示す左側面図、図５は原稿読取手段のフレーム構成を示す平面図である。
【００１４】
図１において、装置本体１は、プリンタ部１３、原稿読取部７および自動原稿給送手段（以下ＡＤＦと略す）８からなる。プリンタ部１３の上方に原稿読取部７が空間を隔てて設けられている。
【００１５】
画像形成部としてのプリンタ部１３の説明をする。給紙部３により給紙カセット２から用紙Ｓを給搬送し、転写部４において画像を用紙Ｓに転写し、定着部５により用紙Ｓ上の転写画像を定着する。その後、用紙Ｓは排紙部６により、プリンタ部１３の上方に原稿読取部７が空間である排紙収納部１４に排紙される。
【００１６】
原稿読取部７、原稿を自動給送する自動原稿給送手段としてのＡＤＦ８については、一般的なイメージリーダ、原稿搬送装置と同構成である。よって、原稿読取部７やＡＤＦ８ついての詳細な説明は省略する。
【００１７】
以下、プリンタ部１３上に、原稿読取部７を設置する方法について、図３から図５を用い詳述する。
【００１８】
図３、図４において、二点鎖線は外装カバーの形状を表している。プリンタ部１３には、前側板１５および後側板９が存在しする。なお、前側板１５および後側板９以外にも筐体部材が存在するが、図示を省略している。該前側板１５および後側板９の間に、図１に示した各要素が存在している。
【００１９】
上記前側板１５の右側上部に、前側中継部材１６が固設されている。同様に、後側板９の上部全域に、後側中継部材１０が固設されている。
【００２０】
一方、原稿読取部７における筐体構成として、原稿読取手段１１の外周を囲むように、前板１８、右板２２、左板１７が存在している。そして、原稿読取手段１１の後側は、後側中継部材１０が、後側板９の直上から原稿読取手段１１の上面付近まで延びている。後側中継部材１０に対し、右板２２および左板１７が夫々固設されている。また、前板１８は、前側中継部材１６により位置決め保持されている。これらにより、原稿読取部７における筐体構成が形成されている。
【００２１】
次に、原稿読取手段１１の支持方法について示す。原稿読取手段１１は、これ自体が原稿読取機能において完結しており、箱形状となっている。つまり、原稿読取手段１１は、箱形状の筐体内部にイメージセンサを備えている。箱形状の筐体の上面に設けられたプラテンガラス上に載置された原稿の画像をイメージセンサによって読み取る。
【００２２】
原稿読取手段１１は、前板１８に形成された水平曲げ起こし部１８ａ、および後側中継部材１０に形成された水平曲げ起こし部１０ａに載置される。
【００２３】
つまり、原稿読取手段１１は、支持手段を構成している前板１８、右板２２、左板１７、後側中継部材１０および水平曲げ起こし部１８ａ、および後側中継部材１０によって構成された支持手段に支持される。これらの部材によって構成された支持手段は、図３に示したように原稿読取手段１１の周囲を包囲するように形成されている。
【００２４】
ここで、それぞれの水平曲げ起こし部１８ａ、１０ａと、原稿読取手段１１の間に、振動吸収部材１２、１９が配設されている。つまり、原稿読取手段１１が載置される設置面が振動吸収部材１２，１９で構成されている。振動吸収部材１２、１９は弾性部材である。
【００２５】
本実施形態においては、装置奥側の振動吸収部材１２が、原稿読取手段１１の奥行きおよび左右方向の位置決めになっており、左右に２個存在する。装置手前側の振動吸収部材１９は１個であり、計３個によって原稿読取手段１１の高さ方向の位置決めを行う構成となっている。即ち、原稿読取手段１１は、３箇所の載置面の上に載置されることになる。
【００２６】
ここで、原稿読取手段１１の重心点Ｇの位置について図５を用いて説明する。図５は、原稿読取部７を上方から見た図である。
【００２７】
原稿読取手段１１の重心点Ｇ（図５）は、振動吸収部材１２、１９の３箇所で構成される平面内に収まるよう構成されている。したがって、原稿読取手段１１がバタつくことなく、安定した状態で振動吸収部材１２、１９上に保持される。
【００２８】
また、原稿読取手段１１の左手前部には、上記水平曲げ起こし部１８ａとの間に、圧縮バネ等の緩衝部材２３が設けられている。これにより、３箇所で支持による原稿読取手段１１にユーザが手を載せたとき等のガタつきも防止することが可能である。つまり、画像読取手段の４隅のうち設置面となっている３箇所以外の１隅に緩衝部材２３が設けられている。
【００２９】
上述したように、本実施形態では、原稿読取手段１１を振動吸収部材１２、１９の３箇所により保持している。したがって、原稿読取手段１１を４箇所で保持した場合における欠点としての、１箇所が浮いてしまうことによる高さ精度がでにくい、傾きが発生してしまう等の不都合も防止することが可能である。
【００３０】
さらに、原稿読取手段１１は振動吸収部材１２、１９および緩衝部材２３の上に載置されるので、原稿読取手段１１の浮き上がりや外れがおこる恐れがある。そこで、原稿読取手段１１の浮き上がり防止、外れ防止のために、図４に詳細を示したように、左板１７上に規制部材２０を設けている。そして、該規制部材２０に対し、幅方向、上下方向とも若干の隙間を有した穴形状１１ｂを、原稿読取手段１１に設けている。前記規制部材２０は、装置本体１の右側にも同様に設けられており、右板２２に取り付けられる。
【００３１】
規制部材２０に対し、穴形状１１ｂが隙間をあけているのは、規制部材２０を介して、プリンタ部１３において発生した振動が穴形状１１ｂから原稿読取手段１１に伝わることを防止するためである。
【００３２】
ＡＤＦ８は、特に原稿読取手段１１との位置関係が要求されるため、後側中継部材１０でなく、原稿読取手段１１の後面に形成されたヒンジ部１１ａにより、ＡＤＦ８のヒンジ部８ａを保持する構成となっている。この構成によってＡＤＦ８が原稿読取手段１１に開閉可能に支持される。
【００３３】
以上のように、原稿読取手段１１の支持手段としての、前板１８および後側中継部材１０と、原稿読取手段１１との間に振動吸収部材である弾性部材を設けた。したがって、プリンタ部１３において発生した振動が原稿読取手段１１に伝達することを防止できる。
【００３４】
さらに、原稿読取手段１１を、弾性部材である振動吸収部材１９、１２を設けることにより、支持手段としての前板１８および後側中継部材１０と直結にしないようにした。よってユーザにより原稿読取部７の左手前部に荷重（図２におけるポイント２１に矢印Ａ方向の荷重）をかけられた場合においても原稿読取手段１１の変形を防止することができるという効果を有する。
【図面の簡単な説明】
【００３５】
【図１】本発明の実施例に係る画像形成装置の主断面図。
【図２】本発明の実施例に係る画像形成装置の外観の斜視図。
【図３】本発明の実施例に係る画像形成装置のフレーム構成を示す斜視図
【図４】本発明の実施例に係る画像形成装置の原稿読取手段付近のフレーム構成を示す左側面図
【図５】本発明の実施例に係る画像形成装置の原稿読取手段のフレーム構成を示す平面図。
【符号の説明】
【００３６】
７  原稿読取部
８  自動原稿給送手段
９  後側板
１０  後側中継部材
１１  原稿読取手段
１２、１９  振動吸収部材（弾性部材）
１４  排紙収納部
１５  前側板
１８  前板
２０  規制部材
【図１】
2009069176.tif 000003
【図２】
2009069176.tif 000004
【図３】
2009069176.tif 000005
【図４】
2009069176.tif 000006
【図５】
2009069176.tif 000007